(57)【要約】【課題】マッサージユニットを小型化する。【解決手段】被施療部が挿入される挿入部１３を、底壁部１４と、この底壁部１４から立設する固定壁１５と、この固定壁１５に対向して底壁部１４に対して回動自在に設けられた可動体１９とで構成し、固定壁１５の可動体１９に対向する面に、空気の給排により膨張収縮する空気袋１６を設けると共に、底壁部１４の裏面に、空気の給排により膨張収縮して可動体１９を動作させる駆動用空気袋２３を設ける。【効果】可動体の固定壁と反対側に駆動用空気袋が位置するのではなく、底壁部の裏面側に空気袋が設けられているので、駆動用空気袋の分、マッサージユニットの左右方向の幅を小さくでき、小型化できる。【選択図】  図２
2004147985.tif 000002
【特許請求の範囲】
【請求項１】
被施療部が挿入される挿入部を、底壁部と、該底壁部から立設する固定壁と、該固定壁に対向して前記底壁部に対して回動自在に設けられた可動体とで構成し、前記固定壁の前記可動体に対向する面に、空気の給排により膨張収縮する空気袋を設けると共に、前記底壁部の裏面に、空気の給排により膨張収縮して前記可動体を動作させる駆動用空気袋を設けたことを特徴とするマッサージユニット。
【請求項２】
被施療部が挿入される一対の挿入部を、底壁部と、該底壁部から立設する固定壁と、該固定壁に対向して前記底壁部に対して回動自在に設けられた可動体とでそれぞれ構成し、前記各固定壁の前記可動体に対向する面に、空気の給排により膨張収縮する空気袋をそれぞれ設けると共に、前記底壁部の裏面側に空気の給排により膨張収縮して前記各可動体を動作させる駆動用空気袋を設けたことを特徴とするマッサージユニット。
【請求項３】
前記固定壁は前記底壁部の左右両外側に位置し、前記可動体は前記底壁部の中央側に位置することを特徴とする請求項２に記載のマッサージユニット。
【請求項４】
前記固定壁は前記底壁部の中央側に位置し、前記可動体は前記底壁部の左右両外側に位置することを特徴とする請求項２に記載のマッサージユニット。
【請求項５】
前記可動体は、一方側が前記固定壁に対向し、且つ、他方側が前記底壁部の裏面に対向するようＬ字状に形成されていることを特徴とする請求項１乃至請求項４のいすれかに記載のマッサージユニット。
【請求項６】
前記可動体の前記固定壁に対向する箇所に凹状受部が形成されていることを特徴とする請求項１乃至請求項５に記載のマッサージユニット。
【請求項７】
前記凹状受部には弾性部材が設けられていることを特徴とする請求項６に記載のマッサージユニット。
【請求項８】
前記底壁部から突出して被施療部をマッサージする押圧体を設けると共に、該押圧体を前記駆動用空気袋にて動作させるようにしたことを特徴とする請求項１乃至請求項７のいずれかに記載のマッサージユニット。
【請求項９】
前記請求項１乃至請求項８のいずれかに記載のマッサージユニットを椅子の座部の前端側に配備したことを特徴とするマッサージ機。
【発明の詳細な説明】
【０００１】
【発明の属する技術分野】
本発明は、被施療部を施療子で施療するマッサージユニット及びこのマッサージユニットを搭載するマッサージ機に関する。
【０００２】
【従来の技術】
従来のマッサージユニットとして、マッサージユニットの底壁部の左右両側に位置するように一対の固定壁を立設し、この各固定壁の対向面側に位置して空気の給排により膨張収縮する空気袋をそれぞれ設けると共に、前記底壁部の略中央側に固定壁と対向するように一対の可動体を回動自在に設け、この一対の可動体間に、空気の給排により膨張収縮する駆動用空気袋をそれぞれ設け、前記空気袋と駆動用空気袋を膨張収縮することで、空気袋と可動体にて被施療部である足をマッサージするものが知られている（例えば、特許文献１参照）。
【０００３】
しかしながら、可動体間に、各可動体を動作させる駆動用空気袋をそれぞれ設けているため、この駆動用空気袋の分、各可動体の固定壁に対向する面と面との間が広くなり、その結果マッサージユニットの左右方向の幅が大きくなるという問題があった。
【０００４】
【特許文献１】
特開２００２−２８２０３号公報（３頁の段落番号１２から４頁の段落番号１８及び図１）
【０００５】
【発明が解決しようとする課題】
本発明は、マッサージユニットを小型化できるマッサージ機を提供することを課題とする。
【０００６】
【課題を解決するための手段】
上記課題を解決するための第１の手段は、被施療部が挿入される挿入部を、底壁部と、この底壁部から立設する固定壁と、この固定壁に対向して前記底壁部に対して回動自在に設けられた可動体とで構成し、前記固定壁の前記可動体に対向する面に、空気の給排により膨張収縮する空気袋を設けると共に、前記底壁部の裏面に、空気の給排により膨張収縮して前記可動体を動作させる駆動用空気袋を設けたものである。
【０００７】
かかる構成により、可動体の固定壁と反対側に駆動用空気袋が位置するのではなく、底壁部の裏面側に空気袋が設けられているので、駆動用空気袋の分、マッサージユニットの左右方向の幅を小さくできる。
【０００８】
上記課題を解決するための第２の手段は、被施療部が挿入される一対の挿入部を、底壁部と、この底壁部から立設する固定壁と、この固定壁に対向して前記底壁部に対して回動自在に設けられた可動体とでそれぞれ構成し、前記各固定壁の前記可動体に対向する面に、空気の給排により膨張収縮する空気袋をそれぞれ設けると共に、前記底壁部の裏面側に空気の給排により膨張収縮して前記各可動体を動作させる駆動用空気袋を設けたものである。
【０００９】
かかる構成により、二つの被施療部、例えば、左右両方の足を同時にマッサージすることができると共に、一対の可動体の固定壁と反対側に駆動用空気袋がそれぞれ位置するのではなく、底壁部の裏面側に空気袋が設けられているので、駆動用空気袋の分、マッサージユニットの左右方向の幅を小さくできる。
【００１０】
上記構成において、具体的には、前記固定壁は前記底壁部の左右両外側に位置し、前記可動体は前記底壁部の中央側に位置するものである。
【００１１】
又は、前記固定壁は前記底壁部の中央側に位置し、前記可動体は前記底壁部の左右両外側に位置するものであってもよい。
【００１２】
また、前記可動体は、具体的には、一方側が前記固定壁に対向し、且つ、他方側が前記底壁部の裏面に対向するようＬ字状に形成されているものである。
【００１３】
また、前記可動体の前記固定壁に対向する箇所に凹状受部を形成することにより、マッサージを行う際に凹状受部に被施療部の一部が入り被施療部が上方に逃げるのを防止でき、被施療部を充分にマッサージすることができる。
【００１４】
そして、前記凹状受部に弾性部材を設けることで、弾性部材が変形して被施療部の広い範囲に渡って接触し、広い範囲をより均一にマッサージをすることができる。
【００１５】
また、前記底壁部から突出して被施療部をマッサージする押圧体を設けると共に、この押圧体を前記駆動用空気袋にて動作させるようにすることで、別途駆動源を設けなくても押圧体を動作させて押圧マッサージを行うことができる。
【００１６】
前記マッサージユニットを椅子の座部の前端側に配備することで、椅子に座った被施療者の足をマッサージすることができる。
【００１７】
【発明の実施の形態】
本発明の第１の実施の形態を、図１及び図４に示す椅子式マッサージ機を一例として説明する。尚、マッサージユニット７において挿入部１３が形成された側を上面とする。
【００１８】
１はマッサージ機で、図１に示すように、座部２と、座部２の後方側に起倒自在に設けられた背もたれ部３と、座部２を支持する図示しない脚部と、この脚部の左右両側に設けられる脚カバー４と、座部２の左右両側に設けられた肘掛け部５と、脚部や座部２の枠組等のフレーム機構よりマッサージ機本体が構成される。背もたれ部３には、マッサージ機１に座った被施療者の首筋から腰にかけて揉みマッサージ、叩きマッサージ、ローリングマッサージ等を行うマッサージ装置６が内蔵され、図示しないクッションで覆われている。また、座部２はクッション２ａで覆われている。
【００１９】
座部２の下方には背もたれ部３を起倒するためのリクライニング機構と、直方体状のマッサージユニット７を回動する駆動部（いずれも図示せず）とが設けられている。
【００２０】
マッサージユニット７は、骨組みとなる角パイプ状のフレーム８の左右両側から突出した連結部１０が座部２の前方側に設けた軸１１に枢支されて、回動自在となっている。このフレーム８は、中央に開口を有する樹脂製のユニット筺体９で覆われている。また、フレーム８裏面の左右方向の中央側には２本の軸１２、１２（図３）が前後方向に平行に設けられている。
【００２１】
また、マッサージユニット７の上面には被施療部である左右の足が挿入される左右一対の挿入部１３が設けられている。この挿入部１３は、その底面となる底壁部１４と、この底壁部１４の左右両外側に位置して底壁部１４から上方に突出する一対の固定壁１５と、前記軸１２に略中央を枢支されたＬ字状の可動体１９により形成される。前記底壁部１４と固定壁１５でユニット筺体９を構成している。
【００２２】
一対の固定壁１５の対向する側面には、ポリエチレン等からなる空気袋１６が配設されている。この空気袋１６はチューブ１７を介して図示しないエアポンプに接続されており、エアポンプからの空気の供給及び排気により膨張収縮をする。また、空気袋１６は固定壁１５の対向する側面に完全に接着等を施すと、膨張収縮の際に空気袋１６の接着部分に応力が生じてしまう。そこで、本実施の形態では空気袋１６の下端に形成した帯状脚部１８を底壁部１４に取り付けて空気袋１６を固定壁１５に沿って配設している。
【００２３】
前記一対の可動体１９は、その一方側が底壁部１４から上方に突出し、他方側が底壁部１４の裏面側に位置し、左右対称に配設される。この可動体１９の一方側において固定壁１５に対向する側には凹状受部２０が形成され、この凹状受部２０に弾性部材２１が貼着されている。この弾性部材２１は、ここでは、スポンジを用いているが、ウレタン樹脂や発泡樹脂など、可動体１９を動作させて弾性部材２１を被施療者の足に押し当てた際に足が埋没する程度の弾性を有するものであれば良い。
【００２４】
また、可動体１９の他方側の先端と、この先端が対向するユニット筺体９の側壁との間にはコイルバネ２２が張設されており、可動体１９の他方側が底壁部１４の裏面に対して略平行となる位置に可動体１９を保持する。
【００２５】
底壁部１４の裏面にはポリエチレン等からなる駆動用空気袋２３が配設されている。この駆動用空気袋２３はチューブ２４を介して図示しないエアポンプに接続されており、エアポンプからの空気の供給により膨張し、可動体１９の他方側をバネ２２の張力に抗して押して可動体１９を回動させると共に、排気により収縮して可動体１９をバネ２２の張力により元の位置側へ回動させる。また、駆動用空気袋２３は底壁部１４の裏面に完全に接着等を施すと、空気袋１６と同様に膨張収縮の際に駆動用空気袋２３の接着部分に応力が生じてしまうので、空気袋１６と同様に駆動用空気袋２３の下端に形成した帯状脚部２５を底壁部１４に取り付けて底壁部１４の裏面に沿って配設している。
【００２６】
上記マッサージユニット７は上面側が布カバー２６で覆われており、この布カバー２６で覆うことにより、空気袋１６は固定壁１５に接着等しなくても挿入部１３の内側へ倒れることがなく保持される。
【００２７】
上記構成のマッサージ機１には、被施療者が座部２に座り、被施療者の足がマッサージユニット７の挿入部１３に挿入される。
【００２８】
そして、エアポンプにて空気袋１６に空気を供給すると空気袋１６が膨張し、これと同時に駆動用空気袋２３にも前記エアポンプから空気を供給すると駆動用空気袋２３が膨張して可動体１９の他方側が底壁部１４より離れる方向に回動する（図４の状態）。これにより、被施療者の足に、一方側から空気袋１６が押し当てられると共に、他方側から可動体１９の弾性部材２１が押し当てられ、これらの間に被施療者の足が挟持される。
【００２９】
この際、弾性部材２１が変形して被施療者の足が弾性部材２１に埋没するので、安定した状態となり、被施療者の足が挿入部１３から押し出されることがない。更に、弾性部材２１は柔軟な材質であるため、空気袋１６と弾性部材２１に被施療者の足が挟まれても圧迫感がない。
【００３０】
この状態から、空気袋１６から空気を排気すると共に駆動用空気袋２３から空気を排気すると、空気袋１６が収縮して足から離れると共に、駆動用空気袋２３が収縮することで、コイルバネ２３により可動体１９の他方側が底壁部１４に近づく方向に回動し、可動体１９の一端側が足から離れる。
【００３１】
この空気袋１６及び駆動用空気袋２３を一定時間毎に、又はランダムに膨張収縮させることで、被施療者の足の挟持と開放が繰り返されるマッサージが行われる。
【００３２】
上述の如く、駆動用空気袋２３を底壁部１４の裏面側に設けたことで、一対の可動体１９、１９における固定壁１５と対向する面と面間Ｚを狭くすることができ、マッサージユニット７の左右方向の幅を小さくでき、小型化を図ることができる。
【００３３】
また、可動体１９の固定壁１５に対向する箇所に凹状受部２０を形成することで、弾性部材２１が変形した際に、より均一に被施療者の足を押圧することができ、効果的にマッサージを行うことができる。更に、凹状受部２０内に被施療者の足が入り込むようになり、挿入部１３から押し出されるのを防止することができる。
【００３４】
尚、上記第１の実施の形態では、底壁部１４の左右両外側に一対の固定壁１５を立設し、底壁部１４の中央側に一対の可動体１９を設けたが、図５及び図６に示す第２の実施の形態のように底壁部１４の左右両外側に一対の可動体１９を設け、底壁部１４の略中央に固定壁１５を立設するようにしても良い。
【００３５】
図５、図６では、左右の可動体１９を動作させる駆動用空気袋２３をそれぞれ設けたが、底壁部の略中央に左右の可動体を動作させる一つの駆動用空気袋を設けても良い。
【００３６】
また、図７に示す第３の実施の形態の如く、駆動用空気袋２３の底壁部１４側にウレタン樹脂等の弾性部材からなる押圧体２７を圧着し、駆動用空気袋２３の膨張収縮により、押圧体２７を底壁部１４から出没させるようにしても良い。
【００３７】
この場合、押圧体２７にて被施療者のふくらはぎの裏側をマッサージすることができる。更に、押圧体２７は可動体１９を動作させる駆動用空気袋２３にて動作するので、別途駆動源を設けなくても良く、機構を簡単にすることができる。
【００３８】
また、マッサージ機１の座部２の前方にマッサージユニット７を回動自在に設けた場合を示したが、これに限定されるものではなく、マッサージユニットのみの構成であっても良い。
【００３９】
また、マッサージユニット７に固定壁１５と可動体１９を左右各一対設け、被施療者の両足を同時にマッサージできるようにしたが、一つの固定壁と一つの可動体を設けたものであっても良い。
【００４０】
【発明の効果】
本発明によれば、固定壁に設けた空気袋との間で被施療部をマッサージする可動体を、底壁部の裏面側に設けた駆動用空気袋で動作させるようにすることで、駆動用空気袋の分、左右方向の幅を小さくでき、ユニットの小型化を図ることができる。
【００４１】
また、固定壁と可動体とをそれぞれ一対設け、被施療部が挿入される挿入部を一対形成することで、被施療者の被施療部、例えば、両足を同時にマッサージすることができる。
【００４２】
また、前記可動体の被施療部に対向する箇所に凹状受部を形成することで、凹状受部に被施療部の一部が入り込むので、被施療部が挿入部から押し出され難くなり、所望とする圧力でしっかりとマッサージすることができる。
【００４３】
また、凹状受部に弾性部材を設けることで、弾性部材が変形して被施療部により密着した状態となり、被施療部をより均一な力でマッサージすることができる。
【００４４】
また、底壁部から突出して被施療部をマッサージする押圧体を設けると共に、この押圧体を駆動用空気袋にて動作させるようにすることで、別途駆動源を設けなくても押圧体を動作させて押圧マッサージを行うことができる。
【００４５】
上記マッサージユニットを椅子の座部の前端側に配備することで、椅子に座った被施療者の足をマッサージすることができる。
【図面の簡単な説明】
【図１】本発明の第１の実施の形態を示すマッサージユニットを搭載したマッサージ機の背もたれ部のカバーを取り外した状態での斜視図である。
【図２】同マッサージユニットの布製のカバーを取り外した状態での斜視図である。
【図３】図２におけるＸ−Ｘ断面図である。
【図４】図３の状態から空気袋と駆動用空気袋を膨張させた場合の断面図である。
【図５】本発明の第２の実施の形態を示すマッサージユニットの布カバーを取り外した状態での斜視図である。
【図６】図５におけるＹ−Ｙ断面図である。
【図７】本発明の第３の実施の形態を示すマッサージユニットの布カバーを取り外した側面断面図である。
【符号の説明】
１            マッサージ機
７            マッサージユニット
１４            底壁部
１５            固定壁
１６            空気袋
１９            可動体
２０            凹状受部
２１            弾性部材
２３            駆動用空気袋
２７            押圧体
【図１】
2004147985.tif 000003
【図２】
2004147985.tif 000004
【図３】
2004147985.tif 000005
【図４】
2004147985.tif 000006
【図５】
2004147985.tif 000007
【図６】
2004147985.tif 000008
【図７】
2004147985.tif 000009